(57)【要約】【課題】着座センサーの固定をビス固定なしで、安定化さすとともに、部品点数と組み立て工数を必要最低限に留めるものとすること。【解決手段】プリント基板ケース４の着座センサー収納部５にＬ型ツメ６を介して上方向から着座センサー８を固定することにより、着座センサー８の固定をビス固定なしで、安定化さすとともに、部品点数と組み立て工数を必要最低限に留めるものとすることができる。【選択図】図１
2005090105.tif 000002
【特許請求の範囲】
【請求項１】
便器上に載置された本体と、使用者が着座する便座と、使用者が着座したことを検知する着座センサーと、前記本体の動作を制御するプリント基板と、前記プリント基板を固定するプリント基板ケースとを備え、前記プリント基板ケース前面にＬ型ツメを持つ着座センサー収納部を設け、前記着座センサーを前記着座センサー収納部に固定したトイレ装置。
【請求項２】
Ｌ型ツメを着座センサー収納部の左右各１箇所に設けた請求項１に記載のトイレ装置。
【請求項３】
着座センサーの発光部と受光部の間に支えリブを設けた請求項１または２に記載のトイレ装置。
【請求項４】
着座センサー収納部の底面に孔を設けた請求項１〜３いずれか１項に記載のトイレ装置。
【発明の詳細な説明】
【技術分野】
【０００１】
本発明は、着座センサーを装着したトイレ装置に関するものである。
【背景技術】
【０００２】
従来、この種のトイレ装置としては、着座センサーの１個所をビス止めしている（例えば、特許文献１参照）。
【０００３】
図４は、特許文献１に記載された従来のトイレ装置を示すものである。図４に示すように、着座センサーを収めたセンサーケース１より突出した固定用部材２を設け、この固定用部材２をビス３で止め、着座センサーを固定している。
【特許文献１】特開平１０−２７３９２５号公報
【発明の開示】
【発明が解決しようとする課題】
【０００４】
しかしながら、前記従来の構成では、着座センサーという小さく軽い部品をセンサーケース１にわざわざ固定用部材２を設け、ビス３で固定ということで、その固定の不安定さに加え、部品点数と組み立て工数が増えるという課題を有していた。
【０００５】
本発明は、上記従来の課題を解決するもので、着座センサーの固定をビス固定なしで、安定化さすとともに、部品点数と組み立て工数を必要最低限に留めるトイレ装置を提供することを目的とする。
【課題を解決するための手段】
【０００６】
前記従来の課題を解決するために、本発明のトイレ装置は、プリント基板ケース前面にＬ型ツメを持つ着座センサー収納部を設け、前記着座センサーを前記着座センサー収納部に固定したものである。
【０００７】
これによって、着座センサーの固定をＬ型ツメの凸部で行い、ビス固定なしとなる。
【０００８】
また、本発明のトイレ装置は、Ｌ型ツメを着座センサー収納部の左右各１箇所に設けたものである。
【０００９】
これによって、左右のＬ型ツメの凸部で着座センサー両端を固定できる。
【００１０】
また、本発明のトイレ装置は、着座センサーの発光部と受光部の間に支えリブを設けたものである。
【００１１】
これによって、発光部の出射光が受光部に短絡的に廻り込むのを防ぐとともに、着座センサーの前方側の固定も行われる。
【００１２】
また、本実施の形態では着座センサー収納部の底面に孔を設けたものである。
【００１３】
これによって、万一、着座センサー収納部に結露等が発生しても結露水等がこの孔から下方向に流れ出る。
【発明の効果】
【００１４】
本発明のトイレ装置は、着座センサーの固定をビス固定なしで、安定化さすとともに、部品点数と組み立て工数を必要最低限に留めるものとすることができる。
【発明を実施するための最良の形態】
【００１５】
第１の発明は、便器上に載置された本体と、使用者が着座する便座と、使用者が着座したことを検知する着座センサーと、前記本体の動作を制御するプリント基板と、前記プリント基板を固定するプリント基板ケースとを備え、前記プリント基板ケース前面にＬ型ツメを持つ着座センサー収納部を設けたことにより、着座センサーを着座センサー収納部に挿入すると同時にＬ型ツメの凸部で固定できるため、着座センサーの固定をビス固定なしで、安定化さすとともに、部品点数と組み立て工数を必要最低限に留めることができる。
【００１６】
第２の発明は、特に、第１の発明のＬ型ツメを着座センサー収納部の左右各１箇所に設けることにより、着座センサー両端を固定でき、より確実に着座センサーを固定することができる。
【００１７】
第３の発明は、特に、第１または第２発明の着座センサーの発光部と受光部の間に支えリブを設けたことにより、発光部の出射光が受光部に短絡的に廻り込むのを防ぐとともに、着座センサーの前方側の固定も行われるため、着座センサーの誤検知を防止できるとともに、その固定性も強固にできる。
【００１８】
第４の発明は、特に、第１〜３のいずれか１つの発明の着座センサー収納部底面に孔を設けたことにより、万一、着座センサー収納部に結露等が発生しても、この孔から下方向に結露水等が流れ出し、着座センサー収納部へは結露水等が溜まらず湿気による誤動作をなくすことができる。
【００１９】
以下、本発明の実施の形態について、図面を参照しながら説明する。なお、この実施の形態によって本発明が、限定されるものではない。
【００２０】
（実施の形態１）
図１は、本発明の第１の実施におけるトイレ装置の要部斜視図を示すものであり、図２は本発明の第１の実施におけるトイレ装置の要部装着斜視図であり、図３は本発明の第１の実施におけるトイレ装置の外観斜視図である。
【００２１】
図１、図２、図３において、プリント基板ケース４には、トイレ装置を制御するプリント基板１２が装着され、また、前面には着座センサー収納部５が設けられている。この着座センサー収納部５の側面にはＬ型ツメ６が、底部には孔１１が設けられている。なお、Ｌ型ツメ６は、アーム部６ｂと凸部６ａとからなる。また、着座センサー８の発光部９と受光部１０の間には支えリブ７が設けてある。なお、トイレ装置本体正面の、着座センサー８に対向する位置に光フィルター１３が装着されている。
【００２２】
以上のように構成されたトイレ装置において、以下その動作、作用を説明する。
【００２３】
まず、着座センサー８はプリント基板ケース４の着座センサー収納部５にＬ型ツメ６を介して上方向からセットされ凸部６ａとの間で固定される。なお、Ｌ型ツメ６のアーム部６ｂは可撓性およびバネ性を有する材料からなる。これにより、着座センサー８の装着時にはアーム部６ｂが撓むことにより着座センサー８が挿入可能となり、着座センサー８が所定の位置に来るとアーム部６ｂのバネ性によりＬ型ツメ６の撓みが元に戻り、凸部６ａにより着座センサー８が固定される。
【００２４】
以上のように本実施の形態においては、着座センサー８の固定をビス固定なしで、安定化さすとともに、部品点数と組み立て工数を必要最低限に留めるものとすることができる。
【００２５】
また、本実施の形態ではＬ型ツメ６を着座センサー収納部の左右各１箇所に設けることにより、着座センサー８両端を凸部６ａで固定でき、より確実に着座センサー８を固定することができる。
【００２６】
また、本実施の形態では着座センサー８の発光部９と受光部１０の間に支えリブ７を設けたことにより、発光部９の出射光が受光部１０に短絡的に廻り込むのを防ぐとともに、着座センサー８の前方側の固定も行われるため、着座センサー８の誤検知を防止できるとともに、その固定性も強固にできる。
【００２７】
また、本実施の形態では着座センサー収納部５の底面に孔１１を設けたことにより、万一、着座センサー収納部５に結露等が発生しても、この孔１１から下方向に結露水等が流れ出し、着座センサー収納部５へは結露水等が溜まらず誤動作をなくすことができる。
【産業上の利用可能性】
【００２８】
以上のように、本発明にかかるトイレ装置は、着座センサーの固定をビス固定なしで、安定化さすとともに、部品点数と組み立て工数を必要最低限に留めることが可能となるので、着座センサー装着のトイレ装置の応用・横展開等の用途にも適用できる。
【図面の簡単な説明】
【００２９】
【図１】本発明の実施の形態１におけるトイレ装置の要部斜視図
【図２】本発明の実施の形態１におけるトイレ装置の要部装着斜視図
【図３】本発明の実施の形態１におけるトイレ装置の外観斜視図
【図４】従来のトイレ装置の要部斜視図
【符号の説明】
【００３０】
４  プリント基板ケース
５  着座センサー収納部
６  Ｌ型ツメ
７  支えリブ
８  着座センサー
９  発光部
１０  受光部
１２  プリント基板
６ａ  凸部
【図１】
2005090105.tif 000003
【図２】
2005090105.tif 000004
【図３】
2005090105.tif 000005
【図４】
2005090105.tif 000006